(57)【特許請求の範囲】
【請求項１】
開口を閉塞する可動体に装着され、この可動体の閉塞に伴い施錠する施錠装置において、
前記可動体の側端面に装着されるケース部材と、
前記可動体の側端面から突出する当接部と、この当接部が前記可動体の閉塞により後退することで突出して施錠を行うフック部とを有するとともに、前記ケース部材に回動可能に枢着される本体部材と、
前記可動体の側端面から前記当接部を突出させる方向と、前記フック部を突出させる方向とに付勢方向を切り換え可能に、前記本体部材を付勢するとともに、前記ケース部材に設けた付勢固定部と前記本体部材に設けた付勢可動部とに装着される付勢部材とを備えるとともに、
前記付勢部材は、一端を付勢固定部に、他端を付勢可動部に装着され、前記当接部の突出時にこの当接部を突出させる方向に付勢し、前記当接部の回動後退に伴って、前記付勢可動部が前記付勢固定部と前記本体部材の回動軸心とを結ぶ線を越えることにより、前記フック部を突出させる方向に付勢を切り換えることを特徴とする施錠装置。
【請求項２】
開口を閉塞する可動体に装着され、この可動体の閉塞に伴い施錠する施錠装置において、
前記可動体の側端面に装着されるケース部材と、
前記可動体の側端面から突出する当接部と、この当接部が前記可動体の閉塞により後退することで突出して施錠を行うフック部とを有するとともに、前記ケース部材に回動可能に枢着される本体部材と、
前記可動体の側端面から前記当接部を突出させる方向と、前記フック部を突出させる方向とに付勢方向を切り換え可能に、前記本体部材を付勢するとともに、前記ケース部材に設けた付勢固定部と前記本体部材に設けた付勢可動部とに装着される付勢部材とを備えるとともに、
前記本体部材は、略「Ｌ」字状に形成され一端にフック部を設け他端に略円弧状の端部を有する当接部を設け、この略「Ｌ」字状の屈曲した直角部に回動軸を設け、当接部が前記開口部に当接し回動することでフック部が回動突出し自動的に施錠することを特徴とする施錠装置。
【請求項３】
請求項１または２に記載の施錠装置において、
前記可動体には、開閉するため凹状の把持部を設けこの把持部の凹部内に前記フック部の施錠を解除しうる解除部を設けたことを特徴とする施錠装置。
【発明の詳細な説明】
【０００１】
【発明の属する技術分野】
本発明は施錠装置に係り、より詳細には、引戸、折戸などの可動体を閉塞することで自動的に施錠するとともに、閉塞した勢いにより可動体が開いてしまうことを防止する施錠装置に関する。
【０００２】
【従来の技術】
従来、室内などに出入りする開口部には、開口部枠の任意の端部近傍から対向する他端に移動する可動体を設け閉塞している。この可動体には、閉塞することにより、自動的に施錠する施錠装置が装着されている。施錠装置を装着する可動体としては、たとえば引戸、折戸などの可動体によく装着され、室内、浴室、または押し入れなどの開口部に設置されている。また、このような施錠装置としては、たとえば特開平５−４７２６３号公報などに掲示されている。
【０００３】
図３は従来の施錠装置を引戸に装着した状態を示す斜視図である。また、図４は図３に示す従来の施錠装置の動作を示す断面図であり、図４（ａ）は施錠装置の施錠前の状態を、図４（ｂ）は施錠装置の施錠後の状態を各々示している。
【０００４】
図３に示すように従来の施錠装置は、矩形で厚みを有する引戸１を設け、この引戸１は、出入口１０の敷居１０ａと、敷居１０ａに対向する上部の鴨居（図示せず）とに当接され摺動可能に装着されている。また引戸１には、側端面１ａの略中央部に開口部１ｂを設け、この開口部１ｂ内に施錠装置３０が嵌合するように装着されている。
引戸１の開口部１ｂ近傍には、引戸１を開閉摺動させるために戸先を把持する凹状の把持部１ｄが設けられている。また、引戸１の側端面１ａに対向する出入口１０の端部１０ｂには、施錠装置３０と係合し施錠するための係合ピン２２を設けた当接金具２０が装着されている。
当接金具２０の下部には、引戸１が摺動し閉塞されると、引戸１に設けたロック穴１ｃにロックピンを突出させる電気錠２４が設けられている。
【０００５】
図４に示すように、従来の施錠装置３０は、矩形状のケース３２を設け、このケース３２の略中央にＡ支点３４ａを中心とし回動自在に枢着されたフック部材３４が設けられている。また、フック部材３４の一端には、バネ３７により付勢され、Ｂ支点３５ａを中心としケース３２に回動自在に枢着された係合部材３５が係合されている。また、フック部材３４は、Ａ支点３４ａに当接するコイルバネ３８を設け、フック部材３４の上下動作を付勢し回動動作を円滑に行えるように設けてある。このロック部材３６は、上部に突出するようにスプリング３９により付勢されている。
図４（ａ）に示すように、フック部材３４が係合ピン２２と係合し施錠する際、ロック部材３６がフック部材３４と当接するとともに、このロック部材３６の下部に電気錠２４からロックピン２４ａを突出させ施錠状態をロックするように設けられている。
【０００６】
次に、このような構成からなる従来の施錠装置の動作を説明する。図３に示すように、引戸１が開放された状態から入室する場合、入室とともに把手部１ｄを把持し引戸１を摺動させ閉塞する。この際、引戸１の側端面１ａには係合ピン２２と、電気錠２４とが当接され閉塞する。
図４（ａ）に示すように、当接金具２０に設けた係合ピン２２は、フック部材３４の矢印Ａに示す部位に当接するとともに、矢印Ａの方向に押す力が加えられる。この押す力により押されたフック部材３４は、Ａ支点３４ａを中心に回動するとともに、係合部材３５も連動しＢ支点３５ａを中心に回動する。またロック部材３６は、上部に突出するようにスプリング３９により付勢されているため、フック部材３４の下部に常に当接し上下に摺動する。
【０００７】
図４（ｂ）に示すように、引戸が閉塞され係合ピン２２がフック部材３４を押すことにより、フック部材３４と係合部材３５とがケース３２内に回動後退し屈曲してしまう。このとき、フック部材３４と係合ピン２２とが屈曲とともに自動的に係合する。
また引戸が閉塞されることにより、電気錠２４が作動しロックピン２４ａを突出させる。これによりロック部材３６が固定されるとともにフック部材３４も固定され引戸が自動施錠される。
【０００８】
引戸の施錠を解除する場合、電子鍵２４を作動させ突出したロックピン２４ａを電子鍵２４内に戻す。これにより、引戸を開いたときにフック部材３４が係合ピン２２から外れ図１（ａ）に示す状態に戻る。
このように従来の施錠装置は、引戸を閉塞した際にフック部材が係合ピンと自動的に係合され施錠し電気錠により施錠をロックすることで引戸の円滑な開閉動作を実現していた。
【０００９】
【発明が解決しようとする課題】
しかしながら従来の施錠装置は、引戸を施錠する際に複雑な構造を有し動作するため部品の数が多くなってしまう不具合があった。
また、部品の数が多くなることにより、製造工程で複数の工程を必要になるとともに、生産効率を低下させてしまう不具合があった。
さらに、生産効率の低下および部品の数の増加に伴い製品コストが高くなるため、コストパフォーマンスの高い製品を期待することができなくなる。
本発明は従来技術の上述のような間題点を解決し、施錠装置の複雑な構造を改善し部品の数を削減させ容易に製造することができ確実に施錠を行える低コストの施錠装置を提供することを目的とする。
【００１０】
【課題を解決するための手段】
本発明による施錠装置の実施形態は、上述の課題を解決するために、開口を閉塞する可動体の側端面に装着するケース部材を設け、可動体の側端面から突出する当接部と、この当接部が可動体の閉塞により後退することで突出して施錠を行うフック部とを有するとともに、ケース部材に回動可能に枢着された本体部材を設け、可動体の側端面から当接部を突出させる方向およびフック部を突出させる方向とに付勢方向を切り換えられるように本体部材を付勢しケース部材に設けた付勢固定部と本体部材に設けた付勢可動部とに装着される付勢部材を設けてなり、この付勢部材は、一端を付勢固定部に、他端を付勢可動部に装着され、当接部の突出時にこの当接部を突出させる方向に付勢し、当接部の回動後退に伴って、付勢可動部が付勢固定部と本体部材の回動軸心とを結ぶ線を越えることにより、フック部を突出させる方向に付勢を切り換える。
また、本発明による施錠装置の他の実施形態は、開口を閉塞する可動体の側端面に装着するケース部材を設け、可動体の側端面から突出する当接部と、この当接部が可動体の閉塞により後退することで突出して施錠を行うフック部とを有するとともに、ケース部材に回動可能に枢着された本体部材を設け、可動体の側端面から当接部を突出させる方向およびフック部を突出させる方向とに付勢方向を切り換えられるように本体部材を付勢しケース部材に設けた付勢固定部と本体部材に設けた付勢可動部とに装着される付勢部材を設けてなり、本体部材は、略「Ｌ」字状に形成され一端にフック部を設け他端に略円弧状の端部を有する当接部を設け、この略「Ｌ」字状の屈曲した直角部に回動軸を設け、当接部が開口部に当接し回動することでフック部が回動突出し自動的に施錠する。
【００１１】
ここで、可動体には、開閉するため凹状の把持部を設けこの把持部の凹部内にフック部の施錠を解除しうる解除部を設ける。
【００１２】
【発明の実施の形態】
次に、添付図面を参照して本発明による施錠装置の実施の形態を詳細に説明する。図２は、本発明による施錠装置を引戸に適用したときの実施の形態を示す斜視図である。
図２に示すように、引戸に装着した本発明による施錠装置８０は、室内などの出入口７０に摺動する引戸５０を設け、この引戸５０の側端面５０ａに装着されている。引戸５０は、出入口７０の敷居７０ａと、この敷居７０ａに対向する上部の鴨居（図示せず）とに当接され摺動可能に装着されている。矩形状で厚みを有する引戸５０の側端面５０ａには、略中央部に開口部５０ｂが設けてあり、この開口部５０ｂ内に施錠装置８０を装着されている。
また引戸５０の開口部５０ｂ近傍には、引戸５０を摺動させるため戸先を把持し手動で開閉できる凹状の把持部６０が設けられている。このように引戸５０は、開放状態から把持部６０を把持し側端面５０ａが出入口７０の端部７０ｂと当接し閉塞することにより、自動的に施錠する構造になっている。
また把持部６０の凹部内には、室内から引戸５０を開けた際に、施錠装置８０による施錠状態を解除することができる解除部材６２が設けてある。
【００１３】
図１は、図２に示した本発明による施錠装置８０の内部構造およびその動作を示す断面図であり、図１（ａ）は施錠前の状態を、図１（ｂ）は施錠途中の状態を、また図１（ｃ）は施錠後の状態を各々示している。
図１に示すように、引戸の開口部５０ｂ内には、施錠装置８０が取付部８０ａにネジ止めされ固定されている。この施錠装置８０は、矩形状のケース８８を設け、このケース８８の略中央に回動自在に枢着されたフック部材８２が設けられている。また、フック部材８２の一端にはコイルバネ８４が装着され付勢されている。
【００１４】
フック部材８２は、略「Ｌ」字の形状を有しており、一端に引戸を施錠するためのフック８２ｄを形成し、他端に円弧状の曲面を有する当接部８２ａが形成されている。また、フック部材８２の略「Ｌ」字状に屈曲した直角部中央には、回動軸８２ｂが設けてあり、この回動軸８２ｂがケース８８に回動自在に装着されている。
またフック部材８２には、フック部材８２の回動動作に対し略「く」の字状で両端が外側方向に付勢するコイルバネ８４が装着される。このコイルバネ８４は、フック部材８２に設けた回動軸８２ｂの近傍に突出する凸状のバネ装着部８２ｃを設け、このバネ装着部８２ｃに一端を軸支するように装着されている。また、コイルバネ８４の他端は、ケース８８の下部に設けた凸状のバネ止め部８８ａに装着されている。
【００１５】
ケース８８には、側部に切り欠き部を穿設され、この切り欠き部に図２に示す解除部材６２と一体に形成され連動する凸部６２ａが設けてある。この凸部６２ａには、凸部６２ａに係合され連動しスライドするスライダ８６が取り付られている。またスライダ８６は、フック部材８２に設けられた支点８２ｅに係合されている。従って、図２に示す解除部材６２を摺動すると凸部６２ａが摺動し、これに伴いスライダ８６も摺動する。またスライダ８６が摺動されると支点８２ｅが連動しフック部材８２を回動させる。
出入口の端部７０ｂには、フック部材８２のフック８２ｄが回動し係合する係合部７０ｄが設けられている。
【００１６】
次に、本発明による施錠装置を引戸に装着した実施形態の動作を詳細に説明する。図１（ａ）に示すように、引戸を開いた状態において、フック部材８２の当接部８２ａは、引戸の側端面５０ａから突出するように位置している。またフック８２ｄは、当接部８２ａに対し垂直に上部方向に位置し、ケース８８内に収納されている。この際、コイルバネ８４の一端を装着したバネ装着部８２ｃは、バネ止め部８８ａとフック部材８２の回動軸８２ｂとを結ぶ線である図１（ａ）に示す一点鎖線Ｇの下部に位置し、コイルバネ８４の付勢により、矢印Ａの方向にフック部材８２が回転するように付勢されている。
このような状態から入室し引戸を閉塞する際には、図２に示すように、引戸５０の把持部６０を把持し端部７０ｂの方向に摺動させ閉塞する。
【００１７】
図１（ｂ）に示すように、引戸の側端面５０ａを端部７０ｂの方向に摺動させると、フック部材８２の当接部８２ａが端部７０ｂと当接する。このように当接部８２ａが端部７０ｂと当接すると、当接部８２ａが円弧状の面に沿って押されフック部材８２が回動軸８２ｂを中心に回動する。この際、コイルバネ８４の一端を装着したバネ装着部８２ｃは、バネ止め部８８ａとフック部材８２の回動軸８２ｂとを結ぶ線である図１（ｂ）に示す一点鎖線Ｇを越え上部に移動する。バネ装着部８２ｃが一点鎖線Ｇを境に上部に移動すると、コイルバネ８４の付勢方向が切り換わり矢印Ｂに示す方向にフック部材８２を回転させる。
図１（ｃ）に示すように、コイルバネ８４の付勢により矢印Ｂ方向にフック部材８２が回転すると、当接部８２ａがケース８８内に後退するとともに収納され上部からフック８２ｄが回動突出する。これによりフック８２ｄは、出入口の端部７０ｂに設けた係合部７０ｄと係合され施錠される。
このように、入室した後、引戸を閉塞することによりフック部材８２が回動し自動的に施錠できるように設けてある。
【００１８】
また室内から退室する際には、施錠装置８０により施錠された状態を解除するため、図２に示すように、引戸５０の把持部６０を把持し開く方向に摺動するとともに、把持部６０内に設けた解除部材６２を矢印Ｄの方向に摺動させる。これにより図１（Ｃ）に示すように、矢印Ｄの方向に凸部６２ａが摺動され、スライダ８６が同時に連動し矢印Ｄの方向にスライドする。さらにスライダ８６に係合したフック部材８２の支点８２ｅも連動し摺動する。従って、フック部材８２のフック８２ｄは矢印Ｅに示す上部方向に回転し、図１（ａ）に示す施錠前の状態に戻ることができる。
【００１９】
以上、本発明によってなされた施錠装置の実施の形態を詳細に説明したが、本発明は前述の実施の形態に限定されるものではなく、その要旨を逸脱しない範囲で変更可能である。
たとえば、本発明による施錠装置を引戸に適用した実施の形態を説明したが、本発明による施錠装置の装着部は引戸に限定されるものでなく、折戸、シャッタなどにも装着可能である。
またフック部材の付勢を略「く」の字状で両端が外側方向に付勢するコイルバネを実施の形態で説明したが、本発明による施錠装置のコイルバネは、略「く」の字状のコイルバネに限定されるものではなく、たとえば螺旋状に形成され両端が外側方向に付勢するた円筒形コイルバネを装着しても良い。
【００２０】
【発明の効果】
このように本発明の施錠装置によれば、引戸を施錠する施錠装置の構造が簡略化され、動作も単純であるため部品の数を削減することができる。
また部品の数を削減することにより、製造においての工程数が削減され製造方法も簡略化されるため生産効率を向上することができる。
さらに、生産効率の向上および部品の数の低減に伴い製品コストが下がるためコストパフォーマンスの高い製品を期待することができる。
【図面の簡単な説明】
【図１】図２に示した本発明による施錠装置８０の内部構造およびその動作を示す断面図。
【図２】本発明による施錠装置を引戸に適用したときの実施の形態を示す斜視図。
【図３】従来の施錠装置を引戸に装着した状態を示す斜視図。
【図４】図３に示す従来の施錠装置の動作を示す断面図。
【符号の説明】
５０    引戸
５０ａ  側端面
５０ｂ  開口部
６０    把持部
６２    解除部材
６２ａ  凸部
７０    出入口
７０ａ  敷居
７０ｂ  端部
７０ｄ  係合部
８０    施錠装置
８０ａ  取付部
８２    フック部材
８２ａ  当接部
８２ｂ  回動軸
８２ｃ  バネ装着部
８２ｄ  フック
８２ｅ  支点
８４    コイルバネ
８６    スライダ
８８    ケース
８８ａ  バネ止め部
【図１】
0004044640.tif 000002
【図２】
0004044640.tif 000003
【図３】
0004044640.tif 000004
【図４】
0004044640.tif 000005